(57)【特許請求の範囲】
【請求項１】
受験者が志願する志願単位を構成する選抜制度情報、志望所属情報、又は、該選抜制度情報及び該志望所属情報からなる制度・所属データと、前記受験者ごとに当該受験者が志願する複数の選抜制度の情報、複数の志望所属の情報、又は、複数の選抜制度の情報及び複数の志望所属の情報を記憶する受験者データと、前記志願単位ごとに設定される科目選択条件であって、当該条件内で選択可能な試験科目情報及び選択解答すべき試験科目の必要科目数を記憶する科目選択条件データとを少なくとも記憶するデータ提供手段と、
前記制度・所属データに記憶された前記選抜制度情報、前記志望所属情報、又は、該選抜制度情報及び該志望所属情報に基づいて、前記志願単位の併願パターンを当該志願単位の組み合わせにより演算する併願パターン演算手段と、
前記科目選択条件データに記憶された、前記志願単位ごとに選択可能な試験科目情報及び選択解答すべき試験科目の必要科目数の情報を用いて、演算された前記併願パターンに含まれる全ての前記志願単位ごとに設定された前記科目選択条件を同時に満たす試験科目の科目選択パターンを演算する科目選択パターン演算手段と、
前記受験者データに記憶された前記受験者が志願する前記複数の選抜制度の情報、前記複数の志望所属の情報、又は、該複数の選抜制度の情報及び該複数の志望所属の情報に基づく前記受験者の併願パターンにおける前記科目選択パターンを表形式の解答パターン指示表として作成する表作成手段とを備えることを特徴とする解答パターン指示表作成装置。
【請求項２】
請求項１に記載の解答パターン指示表作成装置を用いて構成される選抜試験運営支援システムにおいて、
前記試験科目情報の設問内容及びその正解を示すデータからなる問題正解データと、前記受験者が解答した解答結果に関する情報からなる採点データとを記憶する試験データ提供手段と、
前記表作成手段から前記解答パターン指示表が入力され、前記受験者により選択された前記科目選択パターン及び解答された前記試験科目に基づいて、前記解答パターン指示表における選択された前記科目選択パターンに係る情報及び前記受験者の解答可能な前記試験科目を更新すると共に、解答された前記試験科目と前記問題正解データとに基づいて採点演算を行う試験統括演算手段と、
前記試験統括演算手段で更新された前記解答パターン指示表を前記受験者に係る併願パターンに基づいて、前記受験者に提示する制御を行う表制御手段と、
前記受験者に提示する前記試験科目の問題内容を当該受験者に提示する出題内容制御手段とを備えることを特徴とする選抜試験運営支援システム。
【請求項３】
請求項２に記載の選抜試験運営支援システムにおいて、
前記表制御手段及び出題内容制御手段から受付けた前記解答パターン指示表及び前記試験科目を受験者に表示する表示手段と、
前記表示手段による表示内容に従い受験者により解答された前記試験科目を前記試験統括演算手段に入力する入力手段とを備え、
前記試験統括演算手段が、入力された情報に基づいて、前記解答パターン指示表における選択された前記科目選択パターンに係る情報及び前記受験者の解答可能な前記試験科目を更新すると共に、解答された前記試験科目と前記問題正解データとに基づいて採点演算することを特徴とする選抜試験運営支援システム。
【請求項４】
コンピュータが、
受験者が志願する志願単位を構成する選抜制度情報、志望所属情報、又は、該選抜制度情報及び該志望所属情報からなる制度・所属データに基づいて、前記志願単位の併願パターンを当該志願単位の組み合わせにより演算する併願パターン演算ステップと、
前記志願単位ごとに設定される科目選択条件であって、当該条件内で選択可能な試験科目情報及び選択解答すべき試験科目の必要科目数を記憶する科目選択条件データを用いて、演算された前記併願パターンに含まれる全ての前記志願単位ごとに設定された前記科目選択条件を同時に満たす試験科目の科目選択パターンを演算する科目選択パターン演算ステップと、
前記受験者ごとに当該受験者が志願する複数の選抜制度の情報、複数の志望所属の情報、又は、該複数の選抜制度の情報及び該複数の志望所属の情報を記憶する受験者データに基づく前記受験者の併願パターンにおける前記科目選択パターンを表形式の解答パターン指示表として作成する表作成ステップとを実行することを特徴とする解答パターン指示表作成方法。
【請求項５】
請求項４に記載の解答パターン指示表作成方法において、
前記科目選択パターン演算ステップが、
前記科目選択パターンにおける解答対象として選択可能な前記選択可能科目の残数を示す残科目数を前記科目選択条件毎に定義し、当該残科目数を前記必要科目数と同値に設定する初期設定工程と、
所定の一併願パターンを構成する前記志願単位に含まれる一科目選択条件において、所定の一選択可能科目を選択すると共に、当該一科目選択条件における前記残科目数を１減算する残科目数減算工程と、
前記一科目選択条件に含まれる前記試験科目情報の１つを前記一選択可能科目として順次選択して前記残科目数減算工程を繰り返し、前記残科目数がゼロと判断された時点で、前記一科目選択条件に含まれる他の試験科目情報を被選択対象に更新し、選択された前記試験科目情報の組み合わせが前記一併願パターンに含まれる各々の前記科目選択条件に適用可能か否かを、前記科目選択データに基づいて試行する試行科目パターン試行工程と、
前記科目選択データに基づいて、前記一併願パターンに含まれる各々の前記科目選択条件に対して前記試行科目パターン試行工程を繰り返し、適用可能と判断された前記試験科目情報の組み合わせを前記科目選択パターンと判断する試行科目パターン判断工程と、
前記科目選択データに基づいて、前記一科目選択条件に含まれる全通りの前記試験科目の組み合わせに対して、前記試行科目パターン判断工程を繰り返す全試行科目パターン判断工程とを含むことを特徴とする解答パターン指示表作成方法。
【請求項６】
受験者が志願する志願単位を構成する選抜制度情報、志望所属情報、又は、該選抜制度情報及び該志望所属情報からなる制度・所属データと、前記受験者ごとに当該受験者が志願する複数の選抜制度の情報、複数の志望所属の情報、又は、該複数の選抜制度の情報及び該複数の志望所属の情報を記憶する受験者データと、前記志願単位ごとに設定される科目選択条件であって、当該条件内で選択可能な試験科目情報及び選択解答すべき試験科目の必要科目数を記憶する科目選択条件データとを少なくとも記憶するデータ提供手段、
前記制度・所属データに記憶された前記選抜制度情報、前記志望所属情報、又は、該選抜制度情報及び該志望所属情報に基づいて、前記志願単位の併願パターンを当該志願単位の組み合わせにより演算する併願パターン演算手段、
前記科目選択条件データに記憶された、前記志願単位ごとに選択可能な試験科目情報及び選択解答すべき試験科目の必要科目数の情報を用いて、演算された前記併願パターンに含まれる全ての前記志願単位ごとに設定された前記科目選択条件を同時に満たす試験科目の科目選択パターンを演算する科目選択パターン演算手段、
前記受験者データに記憶された前記受験者が志願する前記複数の選抜制度の情報、前記複数の志望所属の情報、又は、該複数の選抜制度の情報及び該複数の志望所属の情報に基づく前記受験者の併願パターンにおける前記科目選択パターンを表形式の解答パターン指示表として作成する表作成手段、としてコンピュータを機能させることを特徴とする解答パターン指示表作成プログラム。
【発明の詳細な説明】
【技術分野】
【０００１】
本発明は、受験者の志望に応じた試験科目を選択させる試験において試験科目の組み合わせである解答パターンの指示表を作成する解答パターン指示表作成装置に関し、特に一度の試験で受験者の併願を可能とする全ての解答パターンの作成を実現する解答パターン指示表作成装置に関する。
近年の受験制度の現状は、現在１８歳以下の人口は減少傾向にあるため、大学の受験者及び入学者数も減少傾向にある。このような現状において大学は、受験者数を確保する為に一芸入試や書道入試等の様々な入試制度や所属を準備し、学生の得意分野を判断して最適な所属への合否判定を行う運用を行っている。
しかし、大学により実施される選抜試験は、入試制度及び所属毎に別々に実施される場合、有限な入試期間により入試可能な時間や場所の制約を受ける。そのため、大学等の受験開催者側は、一度の入試で受験者に効率よく併願受験できるような入試システムが要求されている。従来の入試システムは、この要求を満たすために、複数の試験科目の中から志望条件に沿った試験科目を受験者により選択されるような方式が望まれている。
【背景技術】
【０００２】
しかし、この入試システムにおいて受験者が、試験会場でどの試験科目を解答すれば良いかを逐次判断して選択するという煩わしい作業を要求されるという課題を有する。また、大学等の受験開催者側は、受験者の様々な併願状況により異なる試験科目を手作業で採点するという煩わしい作業を要求されるという課題を有する。
さらに、従来の入試システムは、背景技術において、併願が可能で複数の試験科目から任意の組み合わせに選択できる入試システムとした場合には、受験者による試験科目の選択及び大学による採点等に関して人為的な誤りが発生するという課題を有する。
【０００３】
このような要求に応じて、背景技術は、特開２００２−２４５２８１号公報に就職業務 ・入試業務等の支援システムとして開示されている。この背景技術を図１９に従来の就職業務 ・入試業務等の支援システムの概要を示すブロック図として示す。
【０００４】
図１９における、この背景技術に係る解答パターン指示表作成装置としての、就職業務 ・入試業務等の支援システムは、サーバ側に開設した学生側および企業側に係る個別専用ページにそれぞれがネットワーク３０１経由で入力した情報を取り込んで各学生・各企業ごとの個別データを格納する学生データベース３０３、企業データベース３０４と、サーバ側にて予め作成した標準テストの問題群を格納する問題データベース３０５とを備え、学生データの管理および企業データの管理と共に、学生データおよび企業データ相互間の就職希望条件・採用条件の照合をネットワーク３０１経由で行なう情報処理手段を備える。受験科目に対応した問題をランダムに抽出する問題抽出手段３５２、抽出した問題をネットワーク３０１を経由して個別専用ページに表示する問題表示手段３５３、学生の解答と問題データベース３０５内の正解を照合して得点化する採点手段３５４を備える構成である。
【特許文献１】特開２００２−２４５２８１号公報
【発明の開示】
【発明が解決しようとする課題】
【０００５】
前記背景技術に係る就職業務 ・入試業務等の支援システムは以上のように構成されていたことから、選抜試験を受験する学生が、前記ネットワーク３０１を経由して前記問題表示手段３５３によりパソコン端末等の端末の個別専用ページに表示された試験科目を受験する前提であるが、この端末を試験会場に一斉に準備される場合には、企業及び大学等の採用側の費用負担が大きく現実的ではないという課題を有する。また、前記学生の個人的に所有する私用パソコン端末を前記端末として利用される場合、この私用パソコン端末を所有することが受験の前提となることから、この私用パソコン端末の所有の有無により受験の不平等が生じ、この私用パソコン端末を所有しない前記学生の負担が重いという課題を有する。
【０００６】
特に、背景技術においては、パソコン端末又は用紙での試験方式で受験者が、試験会場でどの試験科目を解答すれば良いかを逐次判断して選択するという煩わしい作業を要求されるという課題を有する。また、大学等の受験開催者側は、受験者の様々な併願状況により異なる試験科目を手作業で採点するという煩わしい作業を要求されるという課題を有する。
【０００７】
本発明は前記課題を解消するためになされたもので、併願パターンに応じた試験科目の総ての組み合わせを考慮することにより、選抜試験を受験する受験者が一度の入学試験で得意分野を選択して受験でき、選抜試験を実施する大学が資質に適合する受験者を確保でき、さらに採点を自動化できる解答パターン指示表作成装置を提供することを目的とする。
【課題を解決するための手段】
【０００８】
本発明に係る解答パターン指示表作成装置は、受験者が志願する志願単位を構成する選抜制度情報、志望所属情報、又は、該選抜制度情報及び該志望所属情報からなる制度・所属データと、前記受験者ごとに当該受験者が志願する複数の選抜制度の情報、複数の志望所属の情報、又は、複数の選抜制度の情報及び複数の志望所属の情報を記憶する受験者データと、前記志願単位ごとに設定される科目選択条件であって、当該条件内で選択可能な試験科目情報及び選択解答すべき試験科目の必要科目数を記憶する科目選択条件データとを少なくとも記憶するデータ提供手段と、前記制度・所属データに記憶された前記選抜制度情報、前記志望所属情報、又は、該選抜制度情報及び該志望所属情報に基づいて、前記志願単位の併願パターンを当該志願単位の組み合わせにより演算する併願パターン演算手段と、前記科目選択条件データに記憶された、前記志願単位ごとに選択可能な試験科目情報及び選択解答すべき試験科目の必要科目数の情報を用いて、演算された前記併願パターンに含まれる全ての前記志願単位ごとに設定された前記科目選択条件を同時に満たす試験科目の科目選択パターンを演算する科目選択パターン演算手段と、前記受験者データに記憶された前記受験者が志願する前記複数の選抜制度の情報、前記複数の志望所属の情報、又は、該複数の選抜制度の情報及び該複数の志望所属の情報に基づく前記受験者の併願パターンにおける前記科目選択パターンを表形式の解答パターン指示表として作成する表作成手段とを備えるものである。
【０００９】
このように本発明によれば、受験者が志願する志願単位を構成する選抜制度情報、志望所属情報、又は、該選抜制度情報及び該志望所属情報からなる制度・所属データと、前記受験者ごとに当該受験者が志願する複数の選抜制度の情報、複数の志望所属の情報、又は、複数の選抜制度の情報及び複数の志望所属の情報を記憶する受験者データと、前記志願単位ごとに設定される科目選択条件であって、当該条件内で選択可能な試験科目情報及び選択解答すべき試験科目の必要科目数を記憶する科目選択条件データとを少なくとも記憶するデータ提供手段と、前記制度・所属データに記憶された前記選抜制度情報、前記志望所属情報、又は、該選抜制度情報及び該志望所属情報に基づいて、前記志願単位の併願パターンを当該志願単位の組み合わせにより演算する併願パターン演算手段と、前記科目選択条件データに記憶された、前記志願単位ごとに選択可能な試験科目情報及び選択解答すべき試験科目の必要科目数の情報を用いて、演算された前記併願パターンに含まれる全ての前記志願単位ごとに設定された前記科目選択条件を同時に満たす試験科目の科目選択パターンを演算する科目選択パターン演算手段と、前記受験者データに記憶された前記受験者が志願する前記複数の選抜制度の情報、前記複数の志望所属の情報、又は、該複数の選抜制度の情報及び該複数の志望所属の情報に基づく前記受験者の併願パターンにおける前記科目選択パターンを表形式の解答パターン指示表として作成する表作成手段とを備えることから、全ての前記併願パターンにおける前記科目選択パターンを作成されることとなり、複数の併願パターン及びこの併願パターンで受験すべき複数の試験科目を表示する解答パターン指示表を簡易且つ正確に作成できる。
【００１０】
また、本発明においては、解答パターン指示表を作成する際に、科目選択パターンを科目選択条件が満足するか否かに基づいて決定していることから、可能な併願パターンの有無を予め検出できることとなり、併願パターンの組み合わせをより多く展開できる解答パターン指示表を作成できる。
【００１１】
また、本発明に係る解答パターン指示表作成装置を用いて構成される選抜試験運営支援システムは必要に応じて、前記試験科目情報の設問内容及びその正解を示すデータからなる問題正解データと、前記受験者が解答した解答結果に関する情報からなる採点データとを記憶する試験データ提供手段と、前記表作成手段から前記解答パターン指示表が入力され、前記受験者により選択された前記科目選択パターン及び解答された前記試験科目に基づいて、前記解答パターン指示表における選択された前記科目選択パターンに係る情報及び前記受験者の解答可能な前記試験科目を更新すると共に、解答された前記試験科目と前記問題正解データとに基づいて採点演算を行う試験統括演算手段と、前記試験統括演算手段で更新された前記解答パターン指示表を前記受験者に係る併願パターンに基づいて、前記受験者に提示する制御を行う表制御手段と、前記受験者に提示する前記試験科目の問題内容を当該受験者に提示する出題内容制御手段とを備えるものである。
【００１２】
このように本発明によれば、前記試験科目情報の設問内容及びその正解を示すデータからなる問題正解データと、前記受験者が解答した解答結果に関する情報からなる採点データとを記憶する試験データ提供手段と、前記表作成手段から前記解答パターン指示表が入力され、前記受験者により選択された前記科目選択パターン及び解答された前記試験科目に基づいて、前記解答パターン指示表における選択された前記科目選択パターンに係る情報及び前記受験者の解答可能な前記試験科目を更新すると共に、解答された前記試験科目と前記問題正解データとに基づいて採点演算を行う試験統括演算手段と、前記試験統括演算手段で更新された前記解答パターン指示表を前記受験者に係る併願パターンに基づいて、前記受験者に提示する制御を行う表制御手段と、前記受験者に提示する前記試験科目の問題内容を当該受験者に提示する出題内容制御手段とを備えることから、受験者により解答された前記試験科目を自動で採点されることとなり、選抜試験の主催者は、煩雑な前記科目選択パターンに従い手作業で採点する手間を省くことができ、主催者の採点ミスを解消することができる。
【００１３】
また、本発明に係る選抜試験運営支援システムは、前記表制御手段及び出題内容制御手段から受付けた前記解答パターン指示表及び前記試験科目を受験者に表示する表示手段と、前記表示手段による表示内容に従い受験者により解答された前記試験科目を前記試験統括演算手段に入力する入力手段とを備え、前記試験統括演算手段が、入力された情報に基づいて、前記解答パターン指示表における選択された前記科目選択パターンに係る情報及び前記受験者の解答可能な前記試験科目を更新すると共に、解答された前記試験科目と前記問題正解データとに基づいて採点演算するものである。
【００１４】
このように本発明によれば、前記表制御手段及び出題内容制御手段から受付けた前記解答パターン指示表及び前記試験科目を受験者に表示する表示手段と、前記表示手段による表示内容に従い受験者により解答された前記試験科目を前記試験統括演算手段に入力する入力手段とを備え、前記試験統括演算手段が、入力された情報に基づいて、前記解答パターン指示表における選択された前記科目選択パターンに係る情報及び前記受験者の解答可能な前記試験科目を更新すると共に、解答された前記試験科目と前記問題正解データとに基づいて採点演算することから、受験者が更新された解答可能な前記試験科目及び前記解答パターン指示表の提供を受けながら前記試験科目を逐次解答して、併願状況に応じた試験科目の組み合わせを考える手間を省くことができ、この組み合わせの誤りを防止できることとなり、前記科目選択パターンの誤認等による受験者の前記試験科目の選択ミスを解消することができる。
【００１５】
また、本発明に係る解答パターン指示表作成方法は必要に応じて、前記科目選択パターンにおける解答対象として選択可能な前記選択可能科目の残数を示す残科目数を前記科目選択条件毎に定義し、当該残科目数を前記必要科目数と同値に設定する初期設定工程と、所定の一併願パターンを構成する前記志願単位に含まれる一科目選択条件において、所定の一選択可能科目を選択すると共に、当該一科目選択条件における前記残科目数を１減算する残科目数減算工程と、前記一科目選択条件に含まれる前記試験科目情報の１つを前記一選択可能科目として順次選択して前記残科目数減算工程を繰り返し、前記残科目数がゼロと判断された時点で、前記一科目選択条件に含まれる他の試験科目情報を被選択対象に更新し、選択された前記試験科目情報の組み合わせが前記一併願パターンに含まれる各々の前記科目選択条件に適用可能か否かを、前記科目選択データに基づいて試行する試行科目パターン試行工程と、前記科目選択データに基づいて、前記一併願パターンに含まれる各々の前記科目選択条件に対して前記試行科目パターン試行工程を繰り返し、適用可能と判断された前記試験科目情報の組み合わせを前記科目選択パターンと判断する試行科目パターン判断工程と、前記科目選択データに基づいて、前記一科目選択条件に含まれる全通りの前記試験科目の組み合わせに対して、前記試行科目パターン判断工程を繰り返す全試行科目パターン判断工程とを含むものである。
【００１６】
このように本発明によれば、前記科目選択パターンにおける解答対象として選択可能な前記選択可能科目の残数を示す残科目数を前記科目選択条件毎に定義し、当該残科目数を前記必要科目数と同値に設定する初期設定工程と、所定の一併願パターンを構成する前記志願単位に含まれる一科目選択条件において、所定の一選択可能科目を選択すると共に、当該一科目選択条件における前記残科目数を１減算する残科目数減算工程と、前記一科目選択条件に含まれる前記試験科目情報の１つを前記一選択可能科目として順次選択して前記残科目数減算工程を繰り返し、前記残科目数がゼロと判断された時点で、前記一科目選択条件に含まれる他の試験科目情報を被選択対象に更新し、選択された前記試験科目情報の組み合わせが前記一併願パターンに含まれる各々の前記科目選択条件に適用可能か否かを、前記科目選択データに基づいて試行する試行科目パターン試行工程と、前記科目選択データに基づいて、前記一併願パターンに含まれる各々の前記科目選択条件に対して前記試行科目パターン試行工程を繰り返し、適用可能と判断された前記試験科目情報の組み合わせを前記科目選択パターンと判断する試行科目パターン判断工程と、前記科目選択データに基づいて、前記一科目選択条件に含まれる全通りの前記試験科目の組み合わせに対して、前記試行科目パターン判断工程を繰り返す全試行科目パターン判断工程とを含むために、当該試行は１つの前記科目選択条件のみを対象とするのではなく他の前記科目選択条件をも都度連携することから、前記一併願パターンに含まれる全ての前記科目選択条件に対して単純に試行を繰り返す場合と比較して、より少ない計算量で前記科目選択パターンを取得されることとなり、前記科目選択パターンをコンピュータの演算処理により求めて、複数の併願パターン及びこの併願パターンで受験すべき複数の試験科目を表示する解答パターン指示表を簡易且つ正確に作成し、且つコンピュータリソースの負荷軽減による効率化を図ることができる。
【発明を実施するための最良の形態】
【００１７】
（本発明の第１の実施形態）
以下、本発明の第１の実施形態に係る解答パターン指示表作成装置を、図１から図１１に基づいて説明する。
この図１は本発明の第１の実施形態に係る解答パターン指示表作成装置の構成を示すブロック図、図２は図１に記載された解答パターン指示表作成装置の解答パターン指示表作成方法のフローチャート図、図３は図１に記載された解答パターン指示表作成装置のデータ例を示す説明図、図４は図１に記載された解答パターン指示表作成装置の試験科目及び志願単位毎の科目選択条件例を示す説明図、図５は図１に記載された解答パターン指示表作成装置の全体構成図及びフロー図、図６は図１に記載された解答パターン指示表作成装置の併願パターン演算手段の実行例を示す説明図、図７は図１に記載された解答パターン指示表作成装置の科目選択条件の一覧例を示す説明図、図８は図１に記載された解答パターン指示表作成装置の科目選択パターン演算手段の演算例(１)を示す説明図、図９は図１に記載された解答パターン指示表作成装置の科目選択パターン演算手段の演算例(２)を示す説明図、図１０は図１に記載された解答パターン指示表作成装置の解答パターン指示表例を示す説明図、図１１は図１に記載された解答パターン指示表作成装置の入出力に用いられる対話型画面例を示す説明図を示す。
【００１８】
図１において、本発明の第１の実施形態に係る解答パターン指示表作成装置１０は、受験者３０の志願可能な志願単位の組み合わせである併願パターンを演算する併願パターン演算手段１１と、この任意の併願パターンに含まれる全ての志願単位で各々定義される、解答に必要な試験科目の条件である科目選択条件を同時に満たす、試験科目の選択パターンである科目選択パターンを解答パターンとして演算する科目選択パターン演算手段１２と、この科目選択パターンを解答パターンとして表形式にて作成する表作成手段１３と、試験実施機関２０から入力されたデータを前記科目選択パターン演算手段１２及び前記表作成手段１３に提供するデータ提供手段１４とを備える構成である。
【００１９】
前記データ提供手段１４は、前記志願単位を構成する選抜制度及び志望所属のデータからなる制度・所属データ１０１と、各志願単位毎に設定される科目選択条件のデータからなる科目選択条件データ１０２と、前記受験者３０の出願による併願情報を含むデータからなる受験者データ１０３を備える構成である。前記各データは、各々前記試験実施機関２０から入力される。
【００２０】
また、前記併願パターン演算手段１１は、前記受験者データ１０３に基づいて前記志願単位の併願パターンを組み合わせにより演算し、この演算結果を前記科目選択パターン演算手段１２へ送信する。また、前記科目選択パターン演算手段１２は、前記制度・所属データ１０１、前記科目選択条件データ１０２及び前記受験者データ１０３に基づいて、前記科目選択パターンを図３のフローチャート図の演算方法に従い演算し、この演算結果を前記表作成手段１３及び前記試験実施機関２０へ送信する。
【００２１】
また、前記試験実施機関２０は、例えば大学及び企業等の選抜試験を実施する機関に該当する。また、前記受験者３０は、前記試験実施機関２０により実施される例えば大学入試及び採用試験等の選抜試験に出願して受験する個人に該当する。
【００２２】
また、図２に示すように、前記解答パターン指示表作成装置１０による演算は、前記併願パターンの演算を行う併願パターン演算工程、前記併願パターンにおける前記科目選択パターンの演算を行う科目選択パターン演算工程、前記科目選択パターンを表形式にて作成する表作成工程の順に実施される。
【００２３】
この科目選択パターン演算工程は、初期設定工程（ＳＴ１）、残科目数減算工程（ＳＴ２、ＳＴ３、ＳＴ４）、試行科目パターン試行工程（ＳＴ５、ＳＴ６、ＳＴ７、ＳＴ８）、試行科目パターン判断工程（ＳＴ９、ＳＴ１０、ＳＴ１１）、全試行科目パターン判断工程（ＳＴ１２）の順に実施される。
【００２４】
前記初期設定工程は、まず、残科目数を前記科目選択条件毎に定義し、この残科目数を前記必要科目数と同値に設定する（ＳＴ１）。次に、前記残科目数減算工程は、所定の科目選択パターンＸを選択し（ＳＴ２）、この科目選択パターンＸに含まれる１つの前記選択可能科目を前記試験科目に選択したと仮定し（ＳＴ３）、所定の前記志願単位における１つの科目選択条件Ｙで選択可能な前記残科目数を１減算する（ＳＴ４）。
【００２５】
前記試行科目パターン試行工程は、ＳＴ４の減算によりこの科目選択条件Ｙにおいて前記残科目数をゼロか否かを判断し（ＳＴ５）、この判断により前記残科目数がゼロの場合には、未選択の前記選択可能科目が存在するか否かを判断し（ＳＴ６）、この判断により未選択の前記選択可能科目が存在する場合には、この未選択の前記選択可能科目を総ての科目選択条件に対して選択禁止の前記選択可能科目として取り扱い（ＳＴ７）、この選択禁止の取り扱いにより、前記科目選択条件Ｙ以外の他の科目選択条件における選択可能科目が無くなるか否かを判断し（ＳＴ８）、この判断により他の科目選択条件における選択可能科目が無くならない場合には、前記試行科目パターン判断工程の処理へと進む。
【００２６】
また、前記ＳＴ５の判断により前記残科目数がゼロでない場合には、前記ＳＴ３から上述の処理を行う。また、前記ＳＴ６の判断によりこの判断により未選択の前記選択可能科目が存在しない場合には、前記ＳＴ８から上述の処理を行う。
【００２７】
前記試行科目パターン判断工程は、前記科目選択パターンＸに含まれる総ての前記選択可能科目を前記試験科目に選択済みか否かを判断し（ＳＴ９）、この判断により前記科目選択パターンＸに含まれる総ての前記選択可能科目を前記試験科目に選択済みの場合には、前記科目選択パターンＸに含まれる総ての前記科目選択条件の前記残科目数がゼロか否かを判断し（ＳＴ１０）、この判断により前記科目選択パターンＸに含まれる総ての前記科目選択条件の前記残科目数がゼロの場合には、前記科目選択パターンＸを前記科目選択パターンの１つとして成立したと判断し、この判断結果を１つの前記解答パターンとして出力し（ＳＴ１１）、前記全試行科目パターン判断工程の処理へと進む。
【００２８】
また、前記ＳＴ９の判断により前記科目選択パターンＸに含まれる総ての前記選択可能科目を前記試験科目に選択済みのでない場合には、前記ＳＴ３から上述の処理を行う。また、前記ＳＴ８の判断により他の科目選択条件における選択可能科目が無くなる場合及び前記ＳＴ１０の判断により前記科目選択パターンＸに含まれる総ての前記科目選択条件の前記残科目数がゼロでない場合には、前記全試行科目パターン判断工程の処理へと進む。
【００２９】
前記全試行科目パターン判断工程は、総ての科目選択パターンを選択済みか否かを判断（ＳＴ１２）し、この判断により総ての科目選択パターンを選択済みの場合には、前記表作成工程の処理へと進む。また、この判断により総ての科目選択パターンを選択済みでない場合には、前記ＳＴ２から上述の処理を行う。
【００３０】
次に、図３（ａ）に示すように、前記制度・所属データ１０１のデータ例としては、同図（ａ−１）の選抜制度データ及び同図（ａ−２）の所属データから構成される。この選抜制度データは、一般試験の他に一芸試験や書道試験等の総ての選抜制度を格納する。また、この所属データは、前記受験者３０の志望する学部学科等の総ての所属を格納する。また、選抜試験の年度である入試年度及び入学時期であるセメスタ期の項目を各データに設定されることより、選抜試験の過去の履歴を蓄積して逐次参照することができ、また入学時期に応じて選抜試験の内容を容易かつ柔軟に変更することができる。
【００３１】
また、図３（ｂ）に示すように、前記科目選択条件データ１０２のデータ例としては、同図（ｂ−１）の科目選択条件データ及び同図（ｂ−２）の選択可能科目データから構成される。この科目選択条件データは、前記科目選択条件内で選択できる試験科目を格納する。また、この選択可能科目データは、前記出願単位で定義される科目選択条件及び解答可能な前記選択可能科目の上限数を格納する。また、本実施形態においては、前記試験科目を受験される各教科における設問として扱うこともでき、この場合、この選択可能科目データは、前記科目選択条件内で選択できるこの設問としての試験科目を格納する。
【００３２】
また、図３（ｃ）に示すように、前記受験者データ１０３のデータ例としては、前記受験者３０の志望する１又は複数の選抜制度、所属及び各志望に固有の受験番号と、この複数の受験番号と関連付けられた前記受験者３０に固有の１つの受験番号である代表受験番号から構成される。
【００３３】
次に、前記受験者３０は、前記データ提供手段１４の各データの定義に基づいて前記試験実施機関２０から提示される前記試験科目及び前記科目選択条件に従い、自らの併願状況に合致する前記科目選択条件から前記試験科目を選択して受験する。
図４（ａ）に示すように、本実施形態においては、前記受験生３０の受験時に配布される前記試験科目として、試験科目１から試験科目７までの７つの前記試験科目が存在すると仮定する。なお、前記試験科目は、国語、数学、理科等の試験における教科であってもよく、また物理問題１、物理問題２、化学問題１等の教科における設問であってもよい。
【００３４】
また、受験生３０は例えば１つの志願単位Ａを出願したと仮定する。同図（ａ）の実施形態において、この受験生３０は、同図（ｂ）に示すように試験科目１から試験科目７までの７つの試験科目で定義される選択可能科目及び３で定義される必要科目数からなる科目選択条件ａであって、この志願単位Ａで定義された科目選択条件ａを与えられる。この受験生３０は、この科目選択条件ａに従って、試験科目１から試験科目７までの７つの試験科目から３つの試験科目を自由に選択して受験する。
【００３５】
また、受験生３０は例えば１つの志願単位Ｂを出願したと仮定する。同図（ａ）の実施形態において、この受験生３０は、同図（ｃ）に示すように試験科目１から試験科目４までの４つの試験科目で定義される選択可能科目及び２で定義される必要科目数からなる科目選択条件ｂ１であって、この志願単位Ｂで定義された科目選択条件ｂ１と、試験科目３、４及び試験科目６、７の４つで定義される選択可能科目及び２で定義される必要科目数からなる科目選択条件ｂ２であって、この志願単位Ｂで定義された科目選択条件ｂ２の２つの科目選択条件を与えられる。この受験生３０は、この２つの科目選択条件ｂ１、ｂ２を同時に満たすように、選択可能科目である試験科目から２つの試験科目を自由に選択して受験する。
【００３６】
上記に基づいて構成された解答パターン指示表作成装置１０は、図５に示すように、解答パターン指示表作成サーバとして構成され、この解答パターン指示表作成装置１０に前記制度・所属データ１０１、前記科目選択条件データ１０２及び前記受験者データ１０３を入力し、この解答パターン指示表作成装置１０から前記解答パターン指示表を入力され、前記受験者３０からの出願を受付けて選抜試験を実施される前記試験実施機関２０から構成される。
【００３７】
以下、前記構成に基づく本実施形態の具体的な装置を用いた解答パターン指示表作成装置の支援動作について説明する。
図５に示すように、まず前記試験実施機関２０は、前記解答パターン指示表作成装置１０に対して、前記制度・所属データ１０１及び前記科目選択条件データ１０２を入力し、総ての前記併願パターンにおける前記科目選択パターンを演算するように科目選択パターン演算依頼を行う（ＳＴ２１）。この依頼を受付けた前記解答パターン指示表作成装置１０は、併願パターン演算及び科目選択パターン演算を行い、この演算結果を前記試験実施機関２０に対して送信する。
【００３８】
また、前記併願パターン演算は、例えば図６に示すような演算方法を用いて前記併願パターン演算手段１１により演算を行う。図に示すように、前記併願パターン演算手段１１は、前記出願単位が１，２，３の３通り存在する前提において、総ての前記出願単位を演算処理前に再帰読出し処理される未チェックリストと、確定した併願パターンを特定するチェック済リストを用意する。この未チェックリストから前記出願単位を順次１つずつ取り出し、この取り出された都度、取り出された前記出願単位の集まりを１つの併願パターンとして再帰読出しにより検出する併願パターン検出処理を行う。
【００３９】
次に、この検出された併願パターンは、チェック済リストに加入され、未チェックリストから削除される。即ち、併願パターンの各出願単位でチェック済リスト及び未チェックリストを整理することにより、この併願パターン検出処理を再帰的実行されることとなる。この併願パターン検出処理は、未チェックリストが空リストになった場合に演算を終了する。図６の例では、この併願パターン検出処理は、結果として（１）、（１，２）、（１，２，３）、（１，３）、（２）、（２，３）、（３）の７通りの組み合わせを検出する。
【００４０】
また、前記科目選択パターン演算は、例えば図７から図１０に示すような演算方法により前記科目選択パターン演算手段１２において演算を実行される。上述の図４で示された前記科目選択条件の内容は、図７に示すようにマトリクスとして表示される。このマトリクス上の項目は、各々の科目選択条件における前記試験科目が前記選択可能科目に該当する場合に前記必要科目数の数値を設定され、該当しない場合に空欄を設定される。
【００４１】
次に、図８及び図９に示すように、前記科目選択パターン演算において、前記科目選択パターン演算手段１２は、図７に示す一覧を使用し、前記科目選択パターンとして選択されたと仮定した選択可能科目を試行科目として定義し、また、前記マトリクス上の項目を前記科目選択パターン演算中の一時点での選択可能な試験科目の数である残科目数として定義し、順次前記科目選択パターンを検出する。
【００４２】
まず、一例として図８に示すように、前記科目選択パターン演算において、前記科目選択パターン演算手段１２は、前記試験科目１を前記試行科目として選択する場合（図中の番号４０１、以下同）、前記科目選択条件ａに対して、選択された選択可能科目である前記試験科目１にゼロを設定し、さらにその他の選択可能科目である前記試験科目２から前記試験科目７までの前記残科目数を１減算する残科目数減算処理を実施する（４０２）。次に、前記科目選択条件ｂ１に対しても、前記残科目数減算処理を実施する（４０３）。
【００４３】
さらに、前記科目選択パターン演算手段１２は、前記試験科目２を前記試行科目として追加選択する場合（４０４）、前記科目選択条件ａに対して前記残科目数減算処理を実施する（４０５）。さらに前記科目選択条件ｂ１に対して前記残科目数減算処理を実施する。前記科目選択パターン演算手段１２は、この実施により前記科目選択条件ｂ１において前記残科目数がゼロとなるために、前記科目選択条件ｂ１で未選択の前記選択可能科目に対して、前記試行科目として選択することを禁止する科目選択禁止処理を実施する。
【００４４】
前記科目選択パターン演算手段１２は、この科目選択禁止処理において、まず前記科目選択条件ｂ１で前記残科目数減算処理により前記残科目数がゼロとなった前記試験科目３に対して、他の総ての前記科目選択条件である前記科目選択条件ａ及び前記科目選択条件ｂ２で前記試行科目として選択することを禁止するためにゼロを設定する（４０６）。前記科目選択パターン演算手段１２は、この設定により前記科目選択条件ａ及び／又は前記科目選択条件ｂ２におけるマトリクス上の項目が総てゼロとなるか否かを確認する（４０７）。前記科目選択パターン演算手段１２は、この確認により総てゼロとなる場合には前記試行科目の選択は不成立と判断し、総てゼロでない場合にはこの演算を継続する。
【００４５】
次に、前記科目選択パターン演算手段１２は、前記試験科目３と同様に、前記科目選択条件ｂ１で前記残科目数減算処理により前記残科目数がゼロとなった前記試験科目４に対しても、科目選択禁止処理を実施する（４０８、４０９）。
さらに、前記科目選択パターン演算手段１２は、前記試験科目５を前記試行科目として追加選択する場合（４１０）、前記科目選択条件ａに対して前記残科目数減算処理を実施し、前記残科目数がゼロとなった前記試験科目６に対して前記科目選択禁止処理を実施する（４１１）。同様に、前記科目選択パターン演算手段１２は、前記科目選択条件ａで前記残科目数減算処理により前記残科目数がゼロとなった前記試験科目７に対して、前記科目選択禁止処理を実施する（４１２）。
【００４６】
この処理により前記科目選択条件ｂ２におけるマトリクス上の項目が総てゼロとなるため、前記科目選択パターン演算手段１２は、前記試験科目１及び前記試験科目２を前記試行科目とする場合に前記試験科目５を前記試行科目として選択する場合の演算を終了し、この選択された前記試験科目の組み合わせを、成立しない前記科目選択パターンとして判断する（４１３）。以降、前記科目選択パターン演算手段１２は、同様の演算を前記試験科目の組み合わせ分繰り返す。
【００４７】
また、前記科目選択パターン演算手段１２は、前記科目選択パターン演算において、他の例として図９に示すように、前記試験科目１を前記試行科目として選択する場合（５０１）、上記一例と同様にして、前記科目選択条件ａに対して残科目数減算処理を実施し（５０２）、次に前記科目選択条件ｂ１に対しても前記残科目数減算処理を実施する（５０３）。
【００４８】
さらに、前記科目選択パターン演算手段１２は、前記試験科目３を前記試行科目として追加選択する場合（５０４）、上記一例と同様に、前記科目選択条件ａに対して前記残科目数減算処理を実施する（５０５）。さらに前記科目選択条件ｂ１に対して前記残科目数減算処理を実施する。前記科目選択パターン演算手段１２は、この実施により前記試験科目２に対して前記科目選択禁止処理を実施し（５０６）、前記科目選択条件ａ及び／又は前記科目選択条件ｂ２におけるマトリクス上の項目が総てゼロとなるか否かの確認を実施する（５０７）。
【００４９】
次に、前記科目選択パターン演算手段１２は、前記試験科目２と同様に、前記科目選択条件ｂ１で前記残科目数減算処理により前記残科目数がゼロとなった前記試験科目４に対しても、科目選択禁止処理を実施し（５０８）、前記科目選択条件ａ及び／又は前記科目選択条件ｂ２におけるマトリクス上の項目が総てゼロとなるか否かの確認を実施する（５０９）。次に、前記科目選択パターン演算手段１２は、前記科目選択条件ｂ２に対して前記残科目数減算処理を実施する（５１０）。
【００５０】
さらに、前記科目選択パターン演算手段１２は、前記試験科目６を前記試行科目として追加選択する場合（５１１）、前記科目選択条件ａに対して前記残科目数減算処理を実施し、前記残科目数がゼロとなった前記試験科目５に対して前記科目選択禁止処理を実施した後、前記試験科目７に対して前記科目選択禁止処理を実施する（５１２）。前記科目選択パターン演算手段１２は、この処理により、前記試験科目６の項目がゼロ以外の数値であることを確認し、前記科目選択条件ｂ２におけるマトリクス上の項目が総てゼロとならないことを確認する（５１３）。
【００５１】
次に、前記科目選択パターン演算手段１２は、前記科目選択条件ｂ２に対して前記残科目数減算処理を実施し、この実施によりマトリクス上の数値が総てゼロとなり、前記試験科目１及び前記試験科目３を前記試行科目とする場合に前記試験科目６を前記試行科目として選択する場合の演算を終了し、この選択された前記試験科目の組み合わせを、成立する前記科目選択パターンとして判断する（５１４）。以降、前記科目選択パターン演算手段１２は、同様の演算を前記試験科目の組み合わせ分繰り返す。
【００５２】
次に、前記試験実施機関２０は、前記解答パターン指示表作成装置１０から受取った前記科目選択パターンに基づいて、併願可能な組み合わせを願書に記載して前記受験者３０に配布する（ＳＴ２３）。また、前記試験実施機関２０は、一時点での前記科目選択パターンを参照して併願可能な組み合わせを増加させるために試験科目の再作成を行うことも可能である。
【００５３】
次に、前記受験者３０は、併願する場合には、前記願書に記載された併願可能な組み合わせに従い出願を行う（ＳＴ２４）。前記試験実施機関２０は、前記受験者３０からの出願情報を、前記解答パターン指示表作成装置１０の前記受験者データ１０３に登録する（ＳＴ２５）。
次に、前記試験実施機関２０は、前記解答パターン指示表作成装置１０に対して、前記受験者３０の出願情報を参照して必要な解答パターン指示表を作成するように解答パターン指示表作成依頼を行う（ＳＴ２６）。この依頼を受付けた前記解答パターン指示表作成装置１０は、前記表作成手段１３により作成された前記解答パターン指示表を前記試験実施機関２０に対して送信する（ＳＴ２７）。
【００５４】
また、前記解答パターン指示表作成装置１０は、上述の図８及び図９で示された演算方法に基づいて前記併願パターン演算手段１１及び前記科目選択パターン演算手段１２により演算された結果を、図１０で示すような前記解答パターン指示表として前記試験実施機関２０に提示する（ＳＴ２７）。
【００５５】
次に、前記受験者３０は、前記試験実施機関２０の主催する受験会場で受験する（ＳＴ２８）。前記受験者３０は、前記受験者３０の併願に該当する前記解答パターン指示表を例えば机上表として受験会場の自席に提示され、この机上表に従って前記科目選択パターンのうち前記受験者３０の得意な前記試験科目の組み合わせを選択して受験を行う。
【００５６】
この選択により、前記受験者３０は、得意分野で受験ができ実力を十分に発揮することができる。また前記試験実施機関２０は、実力を十分に発揮した前記受験者３０を入学者として確保することができる。次に、前記試験実施機関２０は、前記受験者３０により選択された前記科目選択パターンに従って、前記受験者３０の受験結果を採点して合否通知を行う（Ｓ９）。
【００５７】
また、図１１に示すように、前記解答パターン指示表作成装置１０は、対話型画面を用いて入出力を行うことで、利用者である前記試験実施機関２０に対して取り扱い易い装置とすることができる。
【００５８】
また、本発明の第１の実施形態に係る解答パターン指示表作成装置の前記解答パターン指示表作成装置１０を構成する各機器のハードウエア構成は、装置全体の制御を司るＣＰＵ、このＣＰＵのワークエリアとして使用されてブートプログラムなどの記憶等にも使用されるメモリ、このＣＰＵの制御により書き込まれたデータを記憶する大容量記憶装置、カーソル、ウィンドウ、アイコン等をはじめ、文書や画像などの各種データを表示するディスプレイ、前記解答パターン指示表作成装置１０内部のＬＡＮ／ＷＡＮに接続され、当該ネットワークと装置内部とのデータの送受信を司る通信装置、文字、数値、各種指示などの入力のための複数のキーを備えて押下されたキーに対応するデータを電気的信号に変換するキーボード、本体下部のボールの回転量と回転方向及び本体上部の各ボタンのＯＮ／ＯＦＦを電気的信号に変換するマウス、このキーボード及びこのマウスからの電気的信号を随時装置内部へ入力する入力装置及び上記各部を接続するバスからなる。なお、前記解答パターン指示表作成装置１０を構成する各機器はいずれも同一のハードウエア構成を有するものとする。
【００５９】
（本発明の第２の実施形態）
以下、本発明の第２の実施形態に係る解答パターン指示表作成装置を含む選抜試験運営支援システムを、図１２から図１４に基づいて説明する。
この図１２は、本発明の第２の実施形態に係る解答パターン指示表作成装置を用いて構成される選抜試験運営支援システムの構成を示すブロック図、図１３は図１２に記載された選抜試験運営支援システムの全体構成図、図１４は図１２に記載された選抜試験運営支援システムに設置されるデータ例を示す説明図を示す。
【００６０】
図１２において、本発明の第２の実施形態に係る解答パターン指示表作成装置を用いて構成される選抜試験運営支援システム１は、前記第１の実施形態と同様の前記解答パターン指示表作成装置１０と、前記解答パターン指示表作成装置１０の前記表作成手段１３から前記解答パターン指示表を受付け、受験者３０により選択された前記科目選択パターン及び解答された前記試験科目に基づいて、前記解答パターン指示表の内容の更新、受験者３０の解答可能な前記試験科目の更新及び解答された前記試験科目の採点を統括して演算する試験統括演算手段２１と、この試験統括演算手段２１から受付けた前記解答パターン指示表を受験者に提示する制御を行う表制御手段２２と、この試験統括演算手段２１から受付けた前記試験科目を受験者３０に提示する制御を行う出題内容制御手段２３と受験者３０の試験採点の入出力データとなる試験データ提供手段２４とを備える構成である。
【００６１】
また、前記試験データ提供手段２４は、前記試験科目の設問内容及びその正解を示すデータからなる問題正解データ２０１と、前記受験者３０の受験結果に関連するデータからなる採点データ２０２を備える構成である。
また、前記問題正解データ２０１のデータ例としては、図１４（ｄ）に示すように、前記試験科目の問題内容、正解内容及び点数配点等の前記試験科目に関する情報を格納する。また、前記採点データ２０２のデータ例としては、図１４（ｅ）に示すように、前記受験者３０の解答結果、正誤結果及び素点等の前記受験者３０の受験結果に関する情報を格納する。
【００６２】
また、前記試験統括演算手段２１は、受験者３０の解答した試験科目を前記問題正解データ２０１に照合して採点の演算を行い、この演算結果を前記科目選択条件データ２０２に出力する。また、前記表作成手段１３から受付けた前記解答パターン指示表を前記表制御手段２２へ送信し、前記受験者３０に出題する前記試験科目を前記出題内容制御手段２３へ送信する。
【００６３】
上記に基づいて構成された解答パターン指示表作成装置を用いて構成される前記選抜試験運営支援システム１は、図１３に示すように、前記第１の実施形態と同様の前記解答パターン指示表作成装置１０と、前記受験者３０からの出願を受付けて選抜試験を実施され、前記解答パターン指示表作成装置１０と通信回線４１を介して接続される受験管理サーバとしての前記試験実施機関２０から構成される。
また、前記通信回線４１は、ＬＡＮ等の通信回線であり、電気信号により前記解答パターン指示表作成装置１０と前記試験実施機関２０の通信を実現する。
【００６４】
以下、前記構成に基づく前記解答パターン指示表作成装置１０を用いて構成される前記選抜試験運営支援システム１の支援動作について、前記第１の実施形態に追加される受験管理サーバとしての前記試験実施機関２０の支援動作に関して説明する。
前記第１の実施形態の全体フロー図である図５に示すように、前記試験実施機関２０は、前記解答パターン指示表作成装置１０から前記解答パターン指示表を入力（Ｓ７）された後、前記解答パターン指示表を前記試験統括演算手段２１に入力する。
【００６５】
次に、前記試験統括演算手段２１は、前記受験者３０の受験時に提示するために、前記解答パターン指示表を前記表制御手段２２に入力し、前記問題正解データ２０１から取得した前記試験科目に関する図１４（ａ）に示す問題正解データを前記出題内容制御手段２３に入力する。
前記表制御手段２２は、前記受験者３０の受験時に、前記受験者３０の併願情報に従った前記解答パターン指示表を机上表として出力する。また、前記出題内容制御手段２３は、前記受験者３０に提示する前記試験科目の問題内容を出力する。
【００６６】
前記受験者３０による受験（Ｓ８）の後、前記試験統括演算手段２１は、この受験の結果を入力され、前記問題正解データ２０１から取得した前記試験科目の正解に従って採点の演算を行い、この演算結果を前記採点データ２０２へ図１４（ｂ）に示す採点データとして出力する。また、ＯＭＲ（光学読み取り装置）を用いたマークシート方式の選抜試験を実施することにより、前記試験統括演算手段２１による採点の自動化を円滑に行うことができる。
【００６７】
（本発明の第３の実施形態）
以下、本発明の第３の実施形態に係る解答パターン指示表作成装置を用いて構成される選抜試験運営支援システムを、図１５から図１８に基づいて説明する。
この図１５は、本発明の第３の実施形態に係る解答パターン指示表作成装置を用いて構成される選抜試験運営支援システムの構成を示すブロック図、図１６は図１５に記載された選抜試験運営支援システムの選抜試験実施におけるフローチャート図、図１７は図１５に記載された選抜試験運営支援システムの全体構成図及び試験実施機関と受験者のフロー図、図１８は図１５に記載された選抜試験運営支援システムの選抜試験時に受験者側端末に表示される画面例を示す説明図を示す。
【００６８】
図１５において、本発明の第３の実施形態に係る解答パターン指示表作成装置を用いて構成される選抜試験運営支援システム１は、前記解答パターン指示表作成装置１０及び前記試験実施機関２０から構成される前記第２の実施形態と同様の前記選抜試験運営支援システム１と、前記表制御手段２２及び前記出題内容制御手段２３から入力された内容を受験者３０の使用する受験者側端末３０ａに表示する表示手段３１と、この表示手段３１の表示内容に基づいて受験者３０により選択解答された結果を入力され、この結果を前記試験統括演算手段２１に入力する入力手段３２を備える構成である。
【００６９】
また、前記入力手段３２は、この解答を入力される都度、この解答の情報を前記試験統括演算手段２１に入力する。前記試験統括演算手段２１は、前記受験者３０の解答した試験科目及び前記問題正解データ２０１に基づいて前記表作成手段１３から受付けた前記解答パターン指示表の内容を都度更新して前記表制御手段２２に入力する。また、前記試験統括演算手段２１は、前記受験者３０の選択可能な前記試験科目の内容を都度更新して前記出題内容制御手段２３に入力する。
【００７０】
また、前記受験者側端末３０ａは、前記受験者３０の受験時に使用される端末であり、受験会場に設置された前記試験実施機関２０の所有する端末でも可能であり、前記受験者３０の自宅に設置された個人的に所有するＰＣ端末でも可能である。
また、図１６に示すように、前記解答パターン指示表作成装置１０を用いて構成される選抜試験運営支援システムの選抜試験実施の流れは、まず前記解答パターン指示表を前記受験者側端末３０ａの表示部に表示される（ＳＴ３１）。次に、前記受験者３０は、前記解答パターン指示表に示された前記試験科目の中から前記試験科目を選択する（ＳＴ３２）。
この選択に基づいて、前記試験統括演算手段２１は、前記解答パターン指示表を最新の情報に演算した結果を前記表制御手段２２へ送信する（ＳＴ３３）。前記試験統括演算手段２１は、前記受験者３０の残りの前記試験科目を演算し、この演算結果を前記出題内容制御手段２３へ送信する（ＳＴ３４）。
【００７１】
次に、前記表制御手段２２は、前記解答パターン指示表の表示内容を制御して前記受験者側端末３０ａに表示を行う（ＳＴ３５）。また、前記出題内容制御手段２３は、受験者の残りの前記試験科目を制御して前記受験者側端末３０ａに表示を行う（ＳＴ３６）。
【００７２】
次に、前記試験統括演算手段２１は、前記受験者３０による残りの前記試験科目を再選択されたか否かを判断する（ＳＴ３７）。再選択された場合には、前記受験者３０による前記試験科目の選択（ＳＴ３２）から上述の処理を繰り返す。また、再選択されない場合には、選抜試験を終了する。
【００７３】
上記に基づいて構成された解答パターン指示表作成装置を用いて構成される前記選抜試験運営支援システム１は、図１７に示すように、前記第２の実施形態と同様の前記解答パターン指示表作成装置１０及び前記試験実施機関２０から構成される前記選抜試験運営支援システム１と、前記試験実施機関２０と接続される、受験者３０により使用される受験者側端末３０ａとを備える構成である。なお、前記試験実施機関２０と受験者側端末３０ａの接続は、前記解答パターン指示表作成装置１０と前記試験実施機関２０の接続と同様な通信回線を介して行われる。
【００７４】
以下、前記構成に基づく本実施形態の具体的な装置を用いた解答パターン指示表作成装置を用いて構成される前記選抜試験運営支援システム１の支援動作について説明する。
図５に示される前記第２の実施形態と同様に、前記受験者３０は、前記試験実施機関２０へ出願（Ｓ４）を終えて受験（Ｓ８）を行う。本実施形態において前記第２の実施形態に追加されるフロー図である図１７に示すように、この受験（Ｓ８）を前記受験者３０の使用する受験者側端末３０ａから行う。
【００７５】
前記受験者３０は、前記受験者側端末３０ａからインターネットを使用したＷＥＢ受験を行う（Ｓ８−１）。まず、前記表示手段３１により、前記受験者３０の併願に従った前記解答パターン指示表及び前記試験科目を前記受験者側端末３０ａに表示される（Ｓ８−２）。この表示に従って前記受験者３０は１つの前記試験科目を選択した解答を前記入力手段３２に入力する（Ｓ８−３）。
【００７６】
図１８に示すように、前記表制御手段２２及び前記出題内容制御手段２３から前記表示手段３１により前記受験者側端末３０ａに表示される画面遷移は、まず（ａ）に示すように、前記受験者３０の併願情報に基づいて作成された解答パターン指示表及び試験科目が表示される。この表示に従い、前記受験者３０は、試験科目１を選択する。
【００７７】
次に、この試験科目１の選択により（ｂ）に示すように、前記受験者３０の選択解答した試験科目１から、残りの選択可能な前記試験科目が表示される。この場合、残りの選択可能な前記試験科目は、試験科目３、４、６、７である。また、選択される前記科目選択パターンは、科目選択パターン１、２、３、４のいずれかに限定される。この表示に従い、前記受験者３０は、試験科目３を選択する。
【００７８】
次に、この試験科目３の選択により（ｃ）に示すように、前記受験者３０の選択解答した試験科目１、３から、残りの選択可能な前記試験科目が表示される。この場合、残りの選択可能な前記試験科目は、試験科目６、７である。また、選択される前記科目選択パターンは、科目選択パターン１、２のいずれかに限定される。この表示に従い、前記受験者３０は、試験科目６を選択する。前記受験者３０は、科目選択パターン１を選択して受験を終了する。
【００７９】
このように、前記受験者３０は、前記受験者側端末３０ａに表示される画面に従って、自らの得意な前記選択可能科目を選択して解答すればよく、この選択のために余分な手間を取られず、試験に専念することができる。
なお、上述した実施形態に係る解答パターン指示表作成装置は、大学受験に限定されることはなく、就職試験等の広く選抜試験に対して適用することができる。また、前記試験科目は試験の各科目である教科であってもよく、各教科における設問であってもよい。
【００８０】
（付記１）複数の選抜制度及び／又は複数の志望所属を受験者が選択でき、且つ当該選抜制度及び／又は志望所属の総てに試験科目が用意され、前記選択された選抜制度及び／又は志望所属からなる受験者の志願可能な志願単位毎に科目選択条件が定義され、当該科目選択条件が受験者の解答対象として選択可能な当該試験科目である選択可能科目及び当該選択可能科目のうち受験者が選択解答すべき必要数である必要科目数からなり、当該科目選択条件を満たす当該試験科目の選択パターンである科目選択パターンの中から所定の科目選択パターンを受験者により選択され、当該所定の科目選択パターンに従い受験される選抜試験に用いられる解答パターン指示表を作成する解答パターン指示表作成装置であって、前記志願単位の組み合わせである併願パターンを演算する併願パターン演算手段と、
所定の前記併願パターンに含まれる全ての前記志願単位で各々定義される前記科目選択条件を同時に満たす前記科目選択パターンを演算する科目選択パターン演算手段と、受験者により選択された前記併願パターンにおける前記科目選択パターンを表形式の解答パターン指示表として作成する表作成手段とを備えることを特徴とする解答パターン指示表作成装置。
【００８１】
（付記２）前記表作成手段から前記解答パターン指示表が入力され、受験者により選択された前記科目選択パターン及び解答された前記試験科目に基づいて、前記解答パターン指示表の内容を更新し、受験者の解答可能な前記試験科目を更新し、解答された前記試験科目を採点し、各動作を統括して演算する試験統括演算手段と、前記表作成手段から入力及び試験統括演算手段で更新し、前記解答パターン指示表を受験者に提示する制御を行う表制御手段と、前記試験科目を受験者に提示する制御を行う出題内容制御手段とを備えることを特徴とする付記１に記載の解答パターン指示表作成装置を用いて構成される選抜試験運営支援システム。
【００８２】
（付記３）前記表制御手段及び出題内容制御手段から受付けた前記解答パターン指示表及び前記試験科目を受験者に表示する表示手段と、前記表示手段による表示内容に従い受験者により解答された前記試験科目を前記試験統括演算手段に入力する入力手段とを備えることを特徴とする付記２に記載の解答パターン指示表作成装置を用いて構成される選抜試験運営支援システム。
【００８３】
（付記４）前記科目選択パターン演算手段は、前記科目選択条件の一時点での解答対象として選択可能な前記選択可能科目の残数を示す残科目数を前記科目選択条件毎に定義し、当該残科目数を前記必要科目数と同値に設定する初期設定手段と、所定の一併願パターンを構成する前記志願単位に含まれる一科目選択条件において、所定の一選択可能科目を解答対象として選択されたと仮定し、当該一科目選択条件における前記残科目数を１減算する残科目数減算手段と、試行的に抽出された前記試験科目の組み合わせである試行科目パターンのうち所定の一試行科目パターンに含まれる前記試験科目に前記一選択可能科目を置き換えて前記残科目数減算手段を繰り返し、前記残科目数がゼロとなった時点で前記一科目選択条件に含まれる前記選択可能科目が未選択で残っている場合に、前記一併願パターンに含まれる全ての前記科目選択条件における解答対象として、当該未選択の前記選択可能科目の選択を禁止し、前記一試行科目パターンを前記一科目選択条件に対して適用可能か否かを試行する試行科目パターン試行手段と、前記一科目選択条件を前記一併願パターンに含まれる各々の前記科目選択条件の場合に置き換えて前記試行科目パターン試行手段を繰り返し、前記一試行科目パターンを前記一併願パターンに含まれる全ての前記科目選択条件に対して適用可能か否かを試行し、当該適用可能な場合には前記一試行科目パターンを前記科目選択パターンと判断する試行科目パターン判断手段と、前記一試行科目パターンを全通りの前記試行科目パターンに置き換えて前記試行科目パターン判断手段を繰り返す全試行科目パターン判断手段とを備えることを特徴とする付記１乃至付記３に記載の解答パターン指示表作成装置を用いて構成される選抜試験運営支援システム。
【００８４】
（付記５）複数の選抜制度及び／又は複数の志望所属を受験者が選択でき、且つ当該選抜制度及び／又は志望所属の総てに試験科目が用意され、前記選択された選抜制度及び／又は志望所属からなる受験者の志願可能な志願単位毎に科目選択条件が定義され、当該科目選択条件が受験者の解答対象として選択可能な当該試験科目である選択可能科目及び当該選択可能科目のうち受験者が選択解答すべき必要数である必要科目数からなり、当該科目選択条件を満たす当該試験科目の選択パターンである科目選択パターンの中から所定の科目選択パターンを受験者により選択され、当該所定の科目選択パターンに従い受験される選抜試験に用いられる解答パターン指示表作成方法において、前記志願単位を組み合わせて生成される併願パターンを演算する併願パターン演算工程と、所定の前記併願パターンに含まれる全ての前記志願単位で各々定義される前記科目選択条件を同時に満たす前記科目選択パターンを演算する科目選択パターン演算工程と、受験者により選択された前記併願パターンにおける前記科目選択パターンを表形式にて作成する表作成工程とを備えることを特徴とする解答パターン指示表作成方法。
【００８５】
（付記６）前記表作成工程から前記解答パターン指示表が入力され、受験者により選択された前記科目選択パターン及び解答された前記試験科目に基づいて、前記解答パターン指示表の内容を更新し、受験者の解答可能な前記試験科目を更新し、解答された前記試験科目を採点し、各動作を統括して演算する試験統括演算工程と、前記表作成工程から入力及び試験統括演算工程で更新し、前記解答パターン指示表を受験者に提示する制御を行う表制御工程と、前記試験科目を受験者に提示する制御を行う出題内容制御工程とを備えることを特徴とする付記５に記載の解答パターン指示表作成方法を用いて構成される選抜試験運営支援システム。
【００８６】
（付記７）前記表制御工程及び出題内容制御工程から受付けた前記解答パターン指示表及び前記試験科目を受験者に表示する表示工程と、前記表示工程による表示内容に従い受験者により解答された前記試験科目を前記試験統括演算工程に入力する入力工程とを備えることを特徴とする付記５又は付記６に記載の解答パターン指示表作成方法を用いて構成される選抜試験運営支援システム。
【００８７】
（付記８）前記科目選択パターン演算工程は、前記科目選択条件の一時点での解答対象として選択可能な前記選択可能科目の残数を示す残科目数を前記科目選択条件毎に定義し、当該残科目数を前記必要科目数と同値に設定する初期設定工程と、所定の一併願パターンを構成する前記志願単位に含まれる一科目選択条件において、所定の一選択可能科目を解答対象として選択されたと仮定し、当該一科目選択条件における前記残科目数を１減算する残科目数減算工程と、試行的に抽出された前記試験科目の組み合わせである試行科目パターンのうち所定の一試行科目パターンに含まれる前記試験科目に前記一選択可能科目を置き換えて前記残科目数減算工程を繰り返し、前記残科目数がゼロとなった時点で前記一科目選択条件に含まれる前記選択可能科目が未選択で残っている場合に、前記一併願パターンに含まれる全ての前記科目選択条件における解答対象として、当該未選択の前記選択可能科目の選択を禁止し、前記一試行科目パターンを前記一科目選択条件に対して適用可能か否かを試行する試行科目パターン試行工程と、前記一科目選択条件を前記一併願パターンに含まれる各々の前記科目選択条件の場合に置き換えて前記試行科目パターン試行工程を繰り返すことにより、前記一試行科目パターンを前記一併願パターンに含まれる全ての前記科目選択条件に対して適用可能か否かを試行し、当該適用可能な場合には前記一試行科目パターンを前記科目選択パターンと判断する試行科目パターン判断工程と、前記一試行科目パターンを全通りの前記試行科目パターンに置き換えて前記試行科目パターン判断工程を繰り返す全試行科目パターン判断工程とを備えることを特徴とする付記５乃至付記７に記載の解答パターン指示表作成方法。
【００８８】
（付記９）複数の選抜制度及び／又は複数の志望所属を受験者が選択でき、且つ当該選抜制度及び／又は志望所属の総てに試験科目が用意され、前記選択された選抜制度及び／又は志望所属からなる受験者の志願可能な志願単位毎に科目選択条件が定義され、当該科目選択条件が受験者の解答対象として選択可能な当該試験科目である選択可能科目及び当該選択可能科目のうち受験者が選択解答すべき必要数である必要科目数からなり、当該科目選択条件を満たす当該試験科目の選択パターンである科目選択パターンの中から所定の科目選択パターンを受験者により選択され、当該所定の科目選択パターンに従い受験される選抜試験に用いられる解答パターン指示表作成プログラムにおいて、前記志願単位の組み合わせである併願パターンを演算する併願パターン演算手段、所定の前記併願パターンに含まれる全ての前記志願単位で各々定義される前記科目選択条件を同時に満たす前記科目選択パターンを演算する科目選択パターン演算手段、受験者により選択された前記併願パターンにおける前記科目選択パターンを表形式にて作成する表作成手段としてコンピュータを機能させることを特徴とする解答パターン指示表作成プログラム。
【００８９】
（付記１０）前記表作成手段から前記解答パターン指示表が入力され、受験者により選択された前記科目選択パターン及び解答された前記試験科目に基づいて、前記解答パターン指示表の内容を更新し、受験者の解答可能な前記試験科目を更新し、解答された前記試験科目を採点し、各動作を統括して演算する試験統括演算手段、前記表作成手段から入力及び試験統括演算手段で更新し、前記解答パターン指示表を受験者に提示する制御を行う表制御手段、前記試験科目を受験者に提示する制御を行う出題内容制御手段としてコンピュータを機能させることを特徴とする付記９に記載の解答パターン指示表作成プログラムを用いて構成される選抜試験運営支援システム。
【００９０】
（付記１１）前記表制御手段及び出題内容制御手段から受付けた前記解答パターン指示表及び前記試験科目を受験者に表示する表示手段、前記表示手段による表示内容に従い受験者により解答された前記試験科目を前記試験統括演算手段に入力する入力手段としてコンピュータを機能させることを特徴とする付記９又は付記１０に記載の解答パターン指示表作成プログラムを用いて構成される選抜試験運営支援システム。
【００９１】
（付記１２）前記科目選択パターン演算手段は、  前記科目選択条件の一時点での解答対象として選択可能な前記選択可能科目の残数を示す残科目数を前記科目選択条件毎に定義し、当該残科目数を前記必要科目数と同値に設定する初期設定手段と、所定の一併願パターンを構成する前記志願単位に含まれる一科目選択条件において、所定の一選択可能科目を解答対象として選択されたと仮定し、当該一科目選択条件における前記残科目数を１減算する残科目数減算手段、試行的に抽出された前記試験科目の組み合わせである試行科目パターンのうち所定の一試行科目パターンに含まれる前記試験科目に前記一選択可能科目を置き換えて前記残科目数減算手段を繰り返し、前記残科目数がゼロとなった時点で前記一科目選択条件に含まれる前記選択可能科目が未選択で残っている場合に、前記一併願パターンに含まれる全ての前記科目選択条件における解答対象として、当該未選択の前記選択可能科目の選択を禁止し、前記一試行科目パターンを前記一科目選択条件に対して適用可能か否かを試行する試行科目パターン試行手段、前記一科目選択条件を前記一併願パターンに含まれる各々の前記科目選択条件の場合に置き換えて前記試行科目パターン試行手段を繰り返し、前記一試行科目パターンを前記一併願パターンに含まれる全ての前記科目選択条件に対して適用可能か否かを試行し、当該適用可能な場合には前記一試行科目パターンを前記科目選択パターンと判断する試行科目パターン判断手段、前記一試行科目パターンを全通りの前記試行科目パターンに置き換えて前記試行科目パターン判断手段を繰り返す全試行科目パターン判断手段としてコンピュータを機能させることを特徴とする付記９乃至付記１１に記載の解答パターン指示表作成プログラムを用いて構成される選抜試験運営支援システム。
【図面の簡単な説明】
【００９２】
【図１】本発明の第１の実施形態に係る解答パターン指示表作成装置の構成を示すブロック図である。
【図２】本発明の第１の実施形態に係る解答パターン指示表作成装置の解答パターン指示表作成方法のフローチャート図である。
【図３】本発明の第１の実施形態に係る解答パターン指示表作成装置のデータ例を示す説明図である。
【図４】本発明の第１の実施形態に係る解答パターン指示表作成装置の試験科目及び志願単位毎の科目選択条件例を示す説明図である。
【図５】本発明の第１の実施形態に係る解答パターン指示表作成装置の全体構成図及びフロー図である。
【図６】本発明の第１の実施形態に係る解答パターン指示表作成装置の併願パターン演算手段の実行例を示す説明図である。
【図７】本発明の第１の実施形態に係る解答パターン指示表作成装置の科目選択条件の一覧例を示す説明図である。
【図８】本発明の第１の実施形態に係る解答パターン指示表作成装置の科目選択パターン演算手段の演算例(１)を示す説明図である。
【図９】本発明の第１の実施形態に係る解答パターン指示表作成装置の科目選択パターン演算手段の演算例(２)を示す説明図である。
【図１０】本発明の第１の実施形態に係る解答パターン指示表作成装置の解答パターン指示表例を示す説明図である。
【図１１】本発明の第１の実施形態に係る解答パターン指示表作成装置の入出力に用いられる対話型画面例を示す説明図である。
【図１２】本発明の第２の実施形態に係る解答パターン指示表作成装置を用いて構成される選抜試験運営支援システムの構成を示すブロック図である。
【図１３】本発明の第２の実施形態に係る解答パターン指示表作成装置を用いて構成される選抜試験運営支援システムの全体構成図である。
【図１４】本発明の第２の実施形態に係る解答パターン指示表作成装置を用いて構成される選抜試験運営支援システムに設置されるデータ例を示す説明図である。
【図１５】本発明の第３の実施形態に係る解答パターン指示表作成装置を用いて構成される選抜試験運営支援システムの構成を示すブロック図である。
【図１６】本発明の第３の実施形態に係る解答パターン指示表作成装置を用いて構成される選抜試験運営支援システムの選抜試験実施におけるフローチャート図である。
【図１７】本発明の第３の実施形態に係る解答パターン指示表作成装置を用いて構成される選抜試験運営支援システムの全体構成図及び試験実施機関と受験者のフロー図である。
【図１８】本発明の第３の実施形態に係る解答パターン指示表作成装置を用いて構成される選抜試験運営支援システムの選抜試験時に受験者端末に表示される画面例を示す説明図である。
【図１９】従来の解答パターン指示表作成装置の概略構成図である。
【符号の説明】
【００９３】
１  選抜試験運営支援システム
１０  解答パターン指示表作成装置
１１  併願パターン演算手段
１２  科目選択パターン演算手段
１３  表作成手段
１４  データ提供手段
２０  試験実施機関
２１  試験統括演算手段
２２  表制御手段
２３  出題内容制御手段
２４  試験データ提供手段
３０  受験者
３０ａ  受験者側端末
３１  表示手段
３２  入力手段
４１  通信回線
１０１  制度・所属データ
１０２  科目選択条件データ
１０３  受験者データ
２０１  問題正解データ
２０２  採点データ
３０１  ネットワーク
３０３  学生データベース
３０４  企業データベース
３０５  問題データベース
３５２  問題抽出手段
３５３  問題表示手段
３５４  採点手段
【図５】
0005045399.tif 000002
【図６】
0005045399.tif 000003
【図７】
0005045399.tif 000004
【図８】
0005045399.tif 000005
【図９】
0005045399.tif 000006
【図１０】
0005045399.tif 000007
【図１１】
0005045399.tif 000008
【図１２】
0005045399.tif 000009
【図１３】
0005045399.tif 000010
【図１４】
0005045399.tif 000011
【図１５】
0005045399.tif 000012
【図１６】
0005045399.tif 000013
【図１７】
0005045399.tif 000014
【図１８】
0005045399.tif 000015
【図１９】
0005045399.tif 000016
【図１】
0005045399.tif 000017
【図２】
0005045399.tif 000018
【図３】
0005045399.tif 000019
【図４】
0005045399.tif 000020